(57)【要約】【課題】グリーン上でピックアップするゴルフボールの所定のマーク位置に単に置くことで、その位置を離れた場所からでも確実に視認できるようにする。【解決手段】ゴルファーの身体に関連して携帯付設するクリップベース体７に磁着可能に形成したマーク盤１と、このマーク盤１にヒンジ部３を介して起伏自在に連繋した表示スタンド体５と、表示スタンド体５の起立状態あるいは倒伏状態を維持する保持手段１０とを備える。磁着式の第１の保持手段１０は、表示スタンド体５に対する表示スタンド体５の倒伏、起立それぞれ時でそれを維持する倒伏時磁石体１１Ａ，１１Ｂ、起立時磁石体１２Ａ，１２Ｂを配する。スプリングクリック式の第２の保持手段は、マーク盤に支承した表示スタンド体の支承部位のクリック部を、マーク盤に内装したスプリング及び押圧子に押し当てて成る。【選択図】図１
0003162452.tif 000002
【実用新案登録請求の範囲】
【請求項１】
ゴルファーの身体に関連して携帯付設されるクリップベース体に磁着可能に形成したマーク盤と、このマーク盤にヒンジ部を介して起伏自在に連繋した表示スタンド体と、表示スタンド体の起立状態あるいは倒伏状態を維持する保持手段とを備えたことを特徴とするゴルフ用マーカー。
【請求項２】
保持手段は、表示スタンド体の上部位置と、表示スタンド体が倒伏してマーク盤上面に当接したときの対応位置との相互間で磁着する倒伏時磁石体を配設し、また、表示スタンド体のヒンジ部における軸孔部分外表面位置と、表示スタンド体が起立したときの軸孔部分外表面の対応位置との相互間で磁着する起立時磁石体を配設して成る請求項１に記載のゴルフ用マーカー。
【請求項３】
保持手段は、マーク盤に相対峙させて突出形成した軸受相互間に表示スタンド体を起伏自在に支承させると共に、表示スタンド体の軸孔部分外表面に突設形成したクリック部を、マーク盤縁部に形成してある作動穴に内装した伸張傾向に付勢されたスプリング及びこのスプリング端に冠着するカップ状の押圧子に押し当てて成る請求項１に記載のゴルフ用マーカー。
【請求項４】
保持手段は、マーク盤に相対峙して配されている軸受のいずれか一方の内側面と、表示スタンド体の基部に設けたクリック体の端面との相互間で、マーク盤に対して表示スタンド体が起立状態にあるときに互いに嵌り合う縦長状の係合溝と、この係合溝内に嵌り込む縦長突条状の係合突条とを形成しておき、軸受とクリック体とに軸ピン材を挿通して表示スタンド体を起伏自在に支承すると共に、係合溝と係合突条とが互いに嵌り込むよう、一方を他方に対して弾発付勢させるスプリングをクリック体と軸受の他方との間に配装して成る請求項１に記載のゴルフ用マーカー。
【請求項５】
保持手段は、マーク盤に相対峙して配されている軸受のいずれか一方の内側面と、表示スタンド体の基部に設けたクリック体の端面との相互間で、マーク盤に対して表示スタンド体が起立状態にあるときに互いに嵌り合う扇形状の係合凹部と、この係合凹部に嵌り込む扇形状の係合突部とを形成しておき、軸受とクリック体とに軸ピン材を挿通して表示スタンド体を起伏自在に支承すると共に、係合凹部と係合突部とが互いに嵌り込むよう、一方を他方に対して弾発付勢させるスプリングをクリック体と軸受の他方との間に配装して成る請求項１に記載のゴルフ用マーカー。
【請求項６】
保持手段は、マーク盤に相対峙させて突出形成した軸受のいずれか一方の内側面と、この軸受に軸ピン材によって支承されるように形成した表示スタンド体の基部におけるクリック体面との間に、クリック体を軸受の他方側の内側面に弾発的に押圧させるスプリングを配装し、マーク盤に対して起伏自在な表示スタンド体がほぼ直立位置にあるときに、マーク盤上面に当接して表示スタンド体がほぼ９０度以上の揺動を規制する規制突部をクリック体背部に形成して成る請求項１に記載のゴルフ用マーカー。
【考案の詳細な説明】
【技術分野】
【０００１】
この考案は、主としてゴルフゲームにおいて、グリーン上にオンしたボールをパットするに先立ち、ピックアップしたゴルフボールのパター位置をグリーン周縁のやや遠方場所からでも容易に確認でき、ボールの再セットに続いてゲームをスムーズに進行できるようにするゴルフ用マーカーに関する。
【背景技術】
【０００２】
従来から、グリーン上にオンしたボールのピックアップ位置を表示するために、例えばグリーン面に刺止可能なテーパー状ピン部が底面に設けられ、小円盤状に形成されているピン付きマーカーをグリーン面に突き刺すことで置いている。また、マーカー自体は、置いた後のある程度の強風では飛ばされないような重量を備えた小円盤状に形成され、例えば帽子の鍔部縁に取り付けたクリップベース体に磁着可能にされている磁着式のマーカーも提案されている。
【０００３】
ただ、このような小円盤状のマーカーによると、グリーン上に置いたときにその芝目に隠れてしまったり、太陽光による反射その他によって紛らわしくなったり、見失うなったりする。これを解消するように、例えば特許文献１に示されるゴルフボール用マーカー、特許文献２に示されるボールマーク、特許文献３に示されるゴルマーが提案されている。特許文献１に係るマーカーは、ピン状の埋め込み部の上部に円盤状の基盤部を設け、基盤部の一端部にヒンジ部によって回動可能な起立部を設けたり、基盤部の表面に他のマーカーの基盤部等を起立させるように組み付け溝を設けたりして成る。特許文献２に係るマークは、ボールマーク本体の上面を、ボールマーク本体下面の仮想水平面に対して５〜３０度で傾斜して構成して成る。特許文献３に係るゴルマーは、グリーン上に差し込まれるピンにヒンジ部を介して平板状のマーク本体を起倒自在に取り付けて成る。
【先行技術文献】
【特許文献】
【０００４】
【特許文献１】特開２０００−５１４２０号公報
【特許文献２】特開２００１−３４０５０３号公報
【特許文献３】登録実用新案第３１１９４３２号公報
【考案の概要】
【考案が解決しようとする課題】
【０００５】
ところが特許文献１のマーカーは、基盤部にピン状の埋め込み部を突出形成するために、携帯等に際し埋め込み部が邪魔になり、また起立部の起立状態あるいは倒伏状態のいずれであるときも、その維持が困難である故に、特に起立時に不意に倒伏してしまうことがある。特許文献２のボールマークは、マーク本体上面の傾斜面あるいは膨出面はこれを離れた場所から見るとき、反射等でかえって見にくくなるときがある。特許文献３のゴルマーは、グリーン面上に刺し込むピンが二股状のグリーン修復部を兼ねるためにグリーンへの刺し込みにある程度の大きな刺し込み力を要し、刺し込み、起立後ではヒンジ部によって起伏自在な本体マークの倒伏を阻止するように本体マーク基部をもある程度で埋め込まなければならず、取扱いが面倒である。
【０００６】
そこでこの考案は叙上のような従来存した諸事情に鑑み案出されたもので、その目的は携帯が容易でゲームの邪魔にならず、グリーン上での使用に際し、ピックアップするゴルフボールの所定のマーク位置に置き起立操作させることで、グリーン周縁の離れた遠方場所からでもその位置を確実に視認でき、また起立部分の起立状態を維持して不意に倒伏することがないようにし、ひいてはスムーズなゲーム進行をも図り得るゴルフ用マーカーを提供することにある。
【課題を解決するための手段】
【０００７】
上述した課題を解決するため、この考案にあっては、ゴルファーの身体に関連して携帯付設されるクリップベース体７に磁着可能に形成したマーク盤１と、このマーク盤１にヒンジ部３を介して起伏自在に連繋した表示スタンド体５と、表示スタンド体５の起立状態あるいは倒伏状態を維持する保持手段（１０，２０，３０，４０，５０）とを備えたことを特徴とする。
第１の保持手段１０は、表示スタンド体５の上部位置と、表示スタンド体５が倒伏してマーク盤１上面に当接したときの対応位置との相互間で磁着する倒伏時磁石体１１Ａ，１１Ｂを配設し、また、表示スタンド体５のヒンジ部３における軸孔部分外表面位置と、表示スタンド体５が起立したときの軸孔部分外表面の対応位置との相互間で磁着する起立時磁石体１２Ａ，１２Ｂを配設して構成することができる。
第２の保持手段２０は、マーク盤１に相対峙させて突出形成した軸受６相互間に表示スタンド体５を起伏自在に支承させると共に、表示スタンド体５の軸孔部分外表面に突設形成したクリック部２１を、マーク盤１縁部に形成してある作動穴２４に内装した伸張傾向に付勢されたスプリング２２及びこのスプリング２２端に冠着するカップ状の押圧子２３に押し当てて構成することができる。
第３の保持手段３０は、マーク盤１に相対峙して配されている軸受６のいずれか一方の内側面と、表示スタンド体５の基部に設けたクリック体３１の端面との相互間で、マーク盤１に対して表示スタンド体５が起立状態にあるときに互いに嵌り合う縦長状の係合溝３２と、この係合溝３２内に嵌り込む縦長突条状の係合突条３３とを形成しておき、軸受６とクリック体３１とに軸ピン材４を挿通して表示スタンド体５を起伏自在に支承すると共に、係合溝３２と係合突条３３とが互いに嵌り込むよう、一方（３２あるいは３３）を他方（３３あるいは３２）に対して弾発付勢させるスプリング３４をクリック体３１と軸受６の他方との間に配装して構成することができる。
第４の保持手段４０は、マーク盤１に相対峙して配されている軸受６のいずれか一方の内側面と、表示スタンド体５の基部に設けたクリック体４１の端面との相互間で、マーク盤１に対して表示スタンド体５が起立状態にあるときに互いに嵌り合う扇形状の係合凹部４３と、この係合凹部４３に嵌り込む扇形状の係合突部４２とを形成しておき、軸受６とクリック体４１とに軸ピン材４を挿通して表示スタンド体５を起伏自在に支承すると共に、係合凹部４３と係合突部４２とが互いに嵌り込むよう、一方（４３あるいは４２）を他方（４２あるいは４３）に対して弾発付勢させるスプリング４４をクリック体４１と軸受６の他方との間に配装して構成することができる。
第５の保持手段５０は、マーク盤１に相対峙させて突出形成した軸受６のいずれか一方の内側面と、この軸受６に軸ピン材４によって支承されるように形成した表示スタンド体５の基部におけるクリック体５１面との間に、クリック体５１を軸受６の他方側の内側面に弾発的に押圧させるスプリング５４を配装し、マーク盤１に対して起伏自在な表示スタンド体５がほぼ直立位置にあるときに、マーク盤１上面に当接して表示スタンド体５のほぼ９０度以上の揺動を規制する規制突部５２をクリック体５１背部に形成して構成することができる。
【０００８】
以上のように構成されたこの考案に係るゴルフ用マーカーにあって、グリーン上のゴルフボールＢをピックアップするときのマーク位置に置かれたマーク盤１上に起立させた表示スタンド体５は、グリーン周縁からでもその位置を容易に視認させる。
磁石体１１Ａ，１１Ｂ、１２Ａ，１２Ｂによる第１の保持手段１０は、マーク盤１に対して倒伏させ、あるいは起立させた表示スタンド体５それぞれの倒伏状態あるいは起立状態を磁着作用で維持させる。
また、スプリング２２、押圧子２３によるクリック部２１に対する弾発的な押圧作用による保持手段２０は、表示スタンド体５の倒伏時、起立時それぞれでクリック的に表示スタンド体５を停止させる。
縦長状の係合溝３２、縦長突条状の係合突条３３相互間で係合溝３２内に係合突条３３を弾発的に嵌め入れる第３の保持手段３０は、スプリング３４の弾発力でマーク盤１に対する表示スタンド体５の起立時に係合突条３３と係合溝３２とを互いに嵌め合わせて表示スタンド体５を起立状態で維持させ、また、強制的な表示スタンド体５に対する倒伏作用で弾発力に抗して係合溝３２内から係合突条３３を外出させることで、係合状態を解除させる。
扇形状の係合突部４２、係合凹部４３相互間で係合突部４２が係合凹部４３内に弾発的に嵌め入れられる第４の保持手段４０は、スプリング４４の弾発力でマーク盤１に対する表示スタンド体５の起立時に係合突部４２と係合凹部４３とを互いに嵌め合わせて表示スタンド体５を起立状態で維持させ、また、強制的な表示スタンド体５に対する倒伏作用で弾発力に抗して係合凹部４３内から係合突部４２を外出させることで、係合状態を解除させる。
表示スタンド体５基部のクリック体５１をマーク盤１の軸受６に弾発的に押圧させる第５の保持手段５０は、表示スタンド体５のマーク盤１に対する揺動起立角度を任意に設定させ、またほぼ直立状態時では、規制突部５２をマーク盤１面に当接させ、表示スタンド体５の必要以上の起立揺動範囲を規制し、直立状態を維持させる。
このようなこれらの保持手段（１０，２０，３０，４０，５０）によって、表示スタンド体５の格納時での不意の起立、マーク位置表示時の外部からの衝撃その他による倒伏等を阻止させる。
【考案の効果】
【０００９】
この考案は以上説明したように構成されているため、グリーン上のゴルフボールＢをピックアップするに際しゴルフボールＢ位置を表示するときに置くマーク盤１上で表示スタンド体５が起立状態となり、その起立状態を維持するから、やや遠方の例えばグリーン周縁からでも容易、確実に視認でき、ひいてはスムーズなゲーム進行をも図り得る。また、表示スタンド体５を倒伏させることで、コンパクトとなったマーク盤１自体の携帯は容易であるから、ゲームの邪魔にならないばかりでなく、表示スタンド体５としての適宜な装飾、キャラクター化等によってゲームを一層楽しむこともできる。
【００１０】
これはすなわち、この考案において、ゴルファーが携帯するクリップベース体７に磁着可能に形成したマーク盤１と、このマーク盤１に起伏自在に連繋した表示スタンド体５と、表示スタンド体５の起立状態あるいは倒伏状態を維持する保持手段（１０，２０，３０，４０，５０）とを備えたからであり、これによって、ボール位置マーク時でグリーン面から若干でも起立している表示スタンド体５が、その起立状態が維持されていることで例えばグリーン周縁からでもその位置を視認させ、ゴルフボールＢのピックアップ位置を簡単に確認できる。
【００１１】
また、磁石体１１Ａ，１１Ｂ、１２Ａ，１２Ｂの磁着作用による第１の保持手段１０は、マーク盤１に対する表示スタンド体５の倒伏あるいは起立時のいずれでも磁着力でそれらを維持し、携帯・格納している非使用時で倒伏状態であるときの表示スタンド体５の不意の起立、ボールマーク位置を表示している使用時の起立状態であるときの外力等による表示スタンド体５に対する不意の倒伏等を生じさせない。
【００１２】
スプリング２２、押圧子２３によるクリック部２１に対する弾発的な押圧作用による第２の保持手段２０は、同様にマーク盤１に対する任意角度による表示スタンド体５の倒伏あるいは起立状態を維持させる。しかも、操作者による表示スタンド体５に対する強制的な起立力あるいは倒伏力によって起立時から倒伏状態あるいは倒伏時から起立状態に変位でき、その後の変位形態を維持できる。
【００１３】
縦長状の係合溝３２、縦長突条状の係合突条３３相互間で係合溝３２内に係合突条３３をスプリング３４の弾発力で嵌め入れる第３の保持手段３０は、マーク盤１に対する表示スタンド体５の起立時では係合溝３２と係合突条３３とがしっかりと嵌め合い、その起立状態を維持させる。また、起立状態にある表示スタンド体５に対する倒伏操作でスプリング３４の弾発力に抗して係合溝３２と係合突条３３との嵌め合いを解除させて、表示スタンド体５をマーク盤１に簡単に倒伏、格納できる。
【００１４】
扇形状の係合突部４２、係合凹部４３相互間で係合凹部４３と係合突部４２とがスプリング４４の弾発力で嵌め入れられる第４の保持手段４０は、マーク盤１に対する表示スタンド体５の起立時では係合突部４２と係合凹部４３とがしっかりと嵌め合い、表示スタンド体５の起立状態を維持させる。また、第３の保持手段３０におけると同様に、強制的な表示スタンド体５に対する倒伏作用で弾発力に抗して係合突部４２と係合凹部４３との嵌め合いを解除させることで、表示スタンド体５をマーク盤１に簡単に倒伏、格納できる。
【００１５】
更には、表示スタンド体５基部のクリック体５１をマーク盤１の軸受６にスプリング５４によって弾発的に押圧させる第５の保持手段５０は、表示スタンド体５のマーク盤１に対する揺動起立角度を任意に設定可能にする。そして、マーク盤１に対して表示スタンド体５をほぼ直立状態としたとき、クリック体５１にはマーク盤１上面に当接させる規制突部５２を設けてあるから、この規制突部５２によって、クリック体５１の表示スタンド体５に対する必要以上の起立揺動を規制し、揺動が停止する位置までの起立操作によって直立状態位置を設定し、それを維持できる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態における分解斜視図である。
【図２】同じく第１の保持手段による場合の起伏状態を示す断面図である。
【図３】同じく第１の保持手段における他例の起伏状態を示す断面図である。
【図４】同じく第２の保持手段による場合の断面図である。
【図５】同じく第３の保持手段による場合であり、その（ａ）は起伏状態を示す断面図、（ｂ）はそのヒンジ部における第３の保持手段における要部分解斜視図である。
【図６】同じく第４の保持手段による場合であり、その（ａ）は起伏状態を示す断面図、（ｂ）はそのヒンジ部における第４の保持手段における要部分解斜視図である。
【図７】同じく第５の保持手段による場合であり、その（ａ）は起伏状態を示す断面図、（ｂ）はそのヒンジ部における第５の保持手段における要部分解斜視図である。
【図８】同じく使用時の斜視図である。
【考案を実施するための形態】
【００１８】
以下、図面を参照してこの考案を実施するための一形態を説明すると、図において示される符号１はグリーン上でピックアップされるゴルフボールＢに対して所定位置に載置されるマーク盤であり、このマーク盤１は例えばゴルフゲーム者（ゴルファー）が着用する帽子の鍔等に取り付けられるクリップベース体７に磁着可能に形成されている。例えば、マーク盤１に固定した磁石体２によって例えば鉄製のクリップベース体７にマーク盤１を磁着可能に、あるいはクリップベース体７に固定した磁石体（図示せず）によって鉄製のマーク盤１を磁着可能にする。
【００１９】
このマーク盤１には、マーク盤１縁部の適位置に形成したヒンジ部３によって支承されて起伏自在となした表示スタンド体５を連繋してあり、倒伏時の表示スタンド体５はマーク盤１上面に当接格納され、起立時の表示スタンド体５はマーク盤１に対してほぼ直立状となるようになっている。
【００２０】
ヒンジ部３は、例えばマーク盤１縁部に相対峙状に突設形成した軸受６相互間に表示スタンド体５下部に形成した軸孔部分を合致させて軸ピン材４を枢着して成り、軸ピン材４を中心として表示スタンド体５が起伏されるようになっている。
【００２１】
表示スタンド体５自体は、例えばフラッグ付きポールを模した形状としたり、人気ゴルファーを模したキャラクター風形状としたり、また平板状のみならず、立体状とすることもでき、更にはラウンドする例えば４名のプレーヤーそれぞれに対応するように色彩による識別を可能にしても良い。
【００２２】
また、表示スタンド体５の起立状態あるいは倒伏状態のいずれをも維持する保持手段１０，２０，３０，４０，５０を設けてある。第１の保持手段１０は、図１乃至図３に示すように、例えば表示スタンド体５の上部位置と、表示スタンド体５が倒伏してマーク盤１上面に当接したときの対応位置との相互間で磁着する倒伏時磁石体１１Ａ，１１Ｂを露出状態にして埋め込み状に配設し、また、表示スタンド体５の軸孔部分外表面位置と、表示スタンド体５が起立したときの軸孔部分外表面の対応位置との相互間で磁着する起立時磁石体１２Ａ，１２Ｂを同様に露出状態にして埋め込み状に配設して成る。こうすることで、表示スタンド体５の倒伏時、起立時では磁石体１１Ａ，１１Ｂ、１２Ａ，１２Ｂ相互間の磁着力で例えば携帯時の倒伏状態、マーク使用時の起立状態をそれぞれ維持できる。
【００２３】
表示スタンド体５が起立状態にあるとき、図１、図２においては表示スタンド体５の軸受部分がマーク盤１下方に開放状にして構成されていて、表示スタンド体５の軸部である基部の前面側と、マーク盤１の後部における背面側との間で磁着できるように起立時磁石体１２Ａ，１２Ｂを配して成る。図３においてはマーク盤１の後部に、表示スタンド体５が起伏する段差部を形成しておいて、表示スタンド体５の基部の下面側と、マーク盤１の段差部の上面側との間で磁着できるように起立時磁石体１２Ａ，１２Ｂを配して成る。
【００２４】
尚、この第１の保持手段１０において、磁石体１１Ａ，１１Ｂ、１２Ａ，１２Ｂ相互間における磁着作用はそれぞれの露出面において極性が異なるものとされているのは勿論であり、場合によってはマーク盤１及び表示スタンド体５それぞれを、非磁性材料を素材として形成しておいて、磁石体１１Ａ，１１Ｂ、１２Ａ，１２Ｂ相互のいずれか一方が磁石、他方がその磁石に磁着する磁性材料の素材のものとすることも可能である。
【００２５】
また、図４においては第２の保持手段２０が示されており、マーク盤１に相対峙させて突出形成した軸受６相互間に表示スタンド体５を支承させると共に、表示スタンド体５の軸孔部分外表面に突設状、あるいは窪み状、平坦面状等で形成したクリック部２１を、マーク盤１縁部に形成してある作動穴２４に内装した伸張傾向に付勢されたスプリング２２及びこのスプリング２２端に冠着するカップ状の押圧子２３に押し当てて成る。こうすることで、スプリング２２の伸張傾向の弾発作用で、起表示スタンド体５の起立時と倒伏時との９０度の揺動範囲で変位するクリック部２１をそれぞれの位置で押圧保持できる。
【００２６】
図５においては第３の保持手段３０が示されており、マーク盤１に相対峙させて形成配置した左右の軸受６のいずれか一方の内側面と、この軸受６によって支承される軸ピン材４に嵌め合わせられる表示スタンド体５基部におけるクリック体３１端面との間で係合するようにしてある。すなわち、マーク盤１に相対峙して配されている軸受６のいずれか一方の内側面に例えば縦長状の直径方向に沿う係合溝３２を形成しておき、一方、表示スタンド体５の基部に設けたクリック体３１の端面に表示スタンド体５が起立状態にあるときに係合溝３２内に嵌り込む縦長突条状の係合突条３３を形成しておく。そして、軸受６とクリック体３１とに軸ピン材４を挿通して表示スタンド体５を支承すると共に、クリック体３１を係合溝３２側に弾発付勢させる例えばコイル状のスプリング３４をクリック体３１と軸受６の他方との間に配装して成る。
【００２７】
係合溝３２の深さ、係合突条３３の高さそれぞれは、係合突条３３側のクリック体３１が揺動されるとき、その係合あるいは解除が揺動作用で簡単に乗り越えられる程度のものとしてある。図示にあっての係合溝３２、係合突条３３は、軸受６面、クリック体３１面においての直径線に合致させて設けてある。また、スプリング３４は、例えばクリック体３１に軸ピン材４の周囲に位置してクリック体３１の端面で開口しているように形成した空洞状の収納室３５内に伸張傾向に付勢させて収納してある。尚、軸受６に係合突条３３を、クリック体３１面に係合溝３２を形成することも可能である。
【００２８】
こうすることで、マーク盤１に対して倒伏状態にある表示スタンド体５を起立させるとき、スプリング３４の弾発作用で係合突条３３が係合溝３２内に嵌り込んで、表示スタンド体５の起立状態が維持され、逆に表示スタンド体５を強制的にでも倒伏させるよう揺動させることでスプリング３４の弾発力に抗して係合が解除されて倒伏される。
【００２９】
尚、マーク盤１に対して表示スタンド体５が起伏するようクリック体３１が揺動するとき、倒伏時でも係合溝３２と係合突条とが嵌り合うよう、表示スタンド体５が倒伏状態にあるときに係合溝３２が嵌り込む別の係合突条を形成することもでき、この場合、係合突条は十文字状を呈する（図示せず）。
【００３０】
図６においては第４の保持手段４０が示されており、第３の保持手段３０と同様に、マーク盤１の軸受６面と、表示スタンド体５の基部におけるクリック体４１面との間で係合あるいはそれを解除する係合突部４２、係合凹部４３を形成したものである。すなわち、マーク盤１に相対峙して配されている軸受６のいずれか一方の内側面に例えば略１／４円の扇形状の係合突部４２を形成しておき、一方、表示スタンド体５の基部に設けたクリック体４１の端面に表示スタンド体５が起立状態にあるときに係合突部４２が嵌り込む略１／４円の扇形状の係合凹部４３を形成しておく。そして、軸受６とクリック体４１とに軸ピン材４を挿通して表示スタンド体５を支承すると共に、クリック体４１を係合突部４２側に弾発付勢させる例えばコイル状のスプリング４４をクリック体４１と軸受６の他方との間に配装して成る。
【００３１】
係合突部４２の高さ、係合凹部４３の深さそれぞれは、係合凹部４３側のクリック体４１が揺動されるとき、その係合あるいは解除が揺動作用で簡単に乗り越えられる程度のものとしてある。尚、スプリング４４は、第３の保持手段３０における収納室３５と同様に形成された収納室４５内に配置されており、また、軸受６に係合凹部４３を、クリック体４１面に係合突部４２を形成することも可能である。
【００３２】
尚、図示のようにマーク盤１に対して表示スタンド体５が起伏するようクリック体４１が揺動するとき、倒伏時でも係合突部４２と嵌り込むよう、表示スタンド体５が倒伏状態にあるときに係合突部４２が嵌り込む略１／４円の扇形状の倒伏時係合凹部４６を別に形成することもできる。
【００３３】
この第４の保持手段４０の操作、動きは第３の保持手段３０におけるとほぼ同様であるので、詳細は省略する。
【００３４】
図７においての第５の保持手段５０は、マーク盤１に対する表示スタンド体５の揺動をスプリング５４による弾発作用に抗して行えるようにして、任意の揺動角度位置で停止可能にすると共に、マーク盤１に対するほぼ直立位置で表示スタンド体５を停止規制するようにしたものである。すなわち、マーク盤１に相対峙させて突出形成した軸受６のいずれか一方の内側面と、この軸受６に軸ピン材４によって支承されるように形成した表示スタンド体５の基部におけるクリック体５１面との間に、クリック体５１を軸受６の他方側の内側面に弾発的に押圧させる例えばコイル状のスプリング５４を配装し、マーク盤１に対して表示スタンド体５がほぼ直立位置にあるときに、マーク盤１上面に当接して表示スタンド体５のほぼ９０度以上の揺動を規制する規制突部５２をクリック体５１背部に形成して成る。
【００３５】
規制突部５２はマーク盤１に対する表示スタンド体５のほぼ直立状態時で、マーク盤１の上面にほぼ当接する平坦面を有するように例えば断面でほぼ水滴状を呈している。スプリング５４は、例えばクリック体５１に軸ピン材４の周囲に位置してクリック体５１の端面で開口しているように形成した空洞状の収納室５５内に伸張傾向に付勢させて収納してある。
【００３６】
こうすることで、スプリング５４による弾発的な押圧作用で、表示スタンド体５におけるクリック体５１はマーク盤１における軸受６のいずれか一方の内側面に押圧されているから、マーク盤１に対して表示スタンド体５を任意の起立角度で停止保持でき、また直立状になったときには規制突部５２によってその直立位置で停止されて、それを保持するものとなっている。
【００３７】
また、これらの第３乃至第５の保持手段３０，４０，５０において、必要に応じ、マーク盤１に対する表示スタンド体５の倒伏状態を維持するように、前記した倒伏時磁石体１１Ａ，１１Ｂをマーク盤１上面、表示スタンド体５面との間に設けることができる。
【００３８】
次にこれの使用の一例を説明するに、例えば帽子の鍔に取り付けたクリップベース体７にマーク盤１を磁着させて取り付けておくのであり、グリーン上にゴルフボールＢがオンしたときにクリップベース体７から取り外し、その位置をマーク盤１によってマークする。マークするに際し、マーク盤１上に表示スタンド体５を起立させるのであり、保持手段（１０，２０，３０，４０，５０）によって起立保持状態を維持させることでグリーン周縁からでもそのマーク位置を視認させることができる。また、ピックアップしたゴルフボールＢを置いた後には、例えば表示スタンド体５を摘むことで取り上げることができ、マーク盤１に対して表示スタンド体５を倒伏させて、クリップベース体７に磁着させることで格納する。
【符号の説明】
【００３９】
Ｂ…ゴルフボール
１…マーク盤                            ２…磁石体
３…ヒンジ部                            ４…軸ピン材
５…表示スタンド体                      ６…軸受
７…クリップベース体
１０…第１の保持手段                    １１Ａ，１１Ｂ…倒伏時磁石体
１２Ａ，１２Ｂ…起立時磁石体
２０…第２の保持手段                    ２１…クリック部
２２…スプリング                        ２３…押圧子
２４…作動穴
３０…第３の保持手段                    ３１…クリック体
３２…係合溝                            ３３…係合突条
３４…スプリング                        ３５…収納室
４０…第４の保持手段                    ４１…クリック体
４２…係合突部                          ４３…係合凹部
４４…スプリング                        ４５…収納室
４６…倒伏時係合凹部
５０…第５の保持手段                    ５１…クリック体
５２…規制突部                          ５４…スプリング
５５…収納室
【図１】
0003162452.tif 000003
【図２】
0003162452.tif 000004
【図３】
0003162452.tif 000005
【図４】
0003162452.tif 000006
【図５】
0003162452.tif 000007
【図６】
0003162452.tif 000008
【図７】
0003162452.tif 000009
【図８】
0003162452.tif 000010